(57)【要約】【課題】設置作業を効率よく行うことが容易な貯湯式給湯機を得ること。【解決手段】後面板２４と、後面板に設けられた取っ手２８Ａと、天面板２５とを少なくとも有する外装ケース３０Ａに貯湯タンクが収容された給湯機本体を備え、貯湯タンクに貯留した湯を該貯湯タンクから所定の給湯先に供給する貯湯式給湯機を構成するにあたり、後面板には、取っ手を設けるための開口部２４ｃを設け、取っ手には、前記の開口部から外装ケースでの内方側に挿入される凹形状の手掛け部２８ａと、該手掛け部での開口端の周囲に形成されて後面板の外表面に係止されるフランジ部２８ｂとを設け、天面板には、該天面板での周縁部に形成されて外装ケースでの外方側から後面板およびフランジ部それぞれの上端部に当接する立下がり部２５ａを設けて、該立下がり部により取っ手を後面板に固定する。【選択図】        図３
2010156509.tif 000002
【特許請求の範囲】
【請求項１】
後面板と、該後面板に設けられた取っ手と、天面板とを少なくとも有する外装ケースに貯湯タンクが収容された給湯機本体を備え、前記貯湯タンクに貯留した湯を該貯湯タンクから所定の給湯先に供給する貯湯式給湯機であって、
前記後面板は、前記取っ手を設けるための開口部を有し、
前記取っ手は、前記開口部から前記外装ケースでの内方側に挿入される凹形状の手掛け部と、前記手掛け部での開口端の周囲に形成されて前記後面板の外表面に係止されるフランジ部とを有し、
前記天面板は、該天面板での周縁部に形成されて前記外装ケースでの外方側から前記後面板および前記フランジ部それぞれの上端部に当接する立下がり部を有する、
ことを特徴とする貯湯式給湯機。
【請求項２】
前記後面板は、前記外装ケースでの内方側に突出するようにして前記開口部の周囲に形成された抜止め部を更に有し、
前記取っ手は、前記手掛け部での開口端側に形成されて前記外装ケースの内方側から前記抜止め部に係止される爪部を更に有する、
ことを特徴とする請求項１に記載の貯湯式給湯機。
【請求項３】
前記取っ手は、上端側が開放された溝状の間隙を前記フランジ部との間に形成するようにして前記フランジ部の手前側に設けられた天面板押さえ部を更に有し、
前記天面板の立下がり部は前記溝状の間隙に挿入される、
ことを特徴とする請求項１または２に記載の貯湯式給湯機。
【発明の詳細な説明】
【技術分野】
【０００１】
本発明は、貯湯タンクを有する貯湯式給湯機に関するものである。
【背景技術】
【０００２】
熱源機で沸き上げた湯を貯湯タンクに貯留し、該貯湯タンクに貯留した湯を給湯管により所望の給湯先に供給する貯湯式給湯機は、外装ケースに貯湯タンクが収容された給湯機本体と、該給湯機本体に接続された給湯管や給水管等の配管とを有しており、運搬時には給湯機本体と各配管とが別々の状態で搬送される。給湯機本体は比較的大形ではあるが、その運搬は人手により行われるため、外装ケースに取っ手を設けて人手による運搬を容易にしたものが多い。
【０００３】
貯湯式給湯機の給湯機本体に限らず、比較的大形の機器では、運搬用の取っ手が運搬の際に外れてしまわないように当該取っ手が機器にネジ止めされる。機器の組立て時に行われるネジ締め作業を軽減するために、機器を構成する部材同士を固定するためのネジで取っ手も固定することができるようにした機器も知られている。例えば特許文献１には、天板に設けた連結部と、側板に設けた内曲げフランジ部と、前板に設けた内曲げフランジ部と、取っ手部材とを一体的にネジ止めすることができるようにハウジングを構成した空気調和機が記載されている。また、屋外に設置される機器のうちで防水性が求められる機器では、取っ手の取付け箇所から機器の内部に雨水が浸入してしまわないように、当該取付け箇所にパッキンを配置したり、シーリング材（コーキング材）を塗工したりすることが一般に行われる。
【０００４】
【特許文献１】特開２００６−３８２６８号公報（第１頁、図８）
【発明の開示】
【発明が解決しようとする課題】
【０００５】
貯湯式給湯機の給湯機本体を屋外に設置するときには、運搬用の取っ手の取付け箇所にパッキンを配置したりシーリング材を塗工したりして、当該箇所から外装ケース内への雨水の浸入を防止している。このため、貯湯式給湯機では設置作業の効率が比較的低く、設置コストが嵩み易い。
【０００６】
本発明は上記の事情に鑑みてなされたものであり、設置作業を効率よく行うことが容易な貯湯式給湯機を得ることを目的とする。
【課題を解決するための手段】
【０００７】
本発明の貯湯式給湯機は、後面板と、該後面板に設けられた取っ手と、天面板とを少なくとも有する外装ケースに貯湯タンクが収容された給湯機本体を備え、貯湯タンクに貯留した湯を該貯湯タンクから所定の給湯先に供給する貯湯式給湯機であって、後面板は、取っ手を設けるための開口部を有し、取っ手は、前記の開口部から外装ケースでの内方側に挿入される凹形状の手掛け部と、手掛け部での開口端の周囲に形成されて後面板の外表面に係止されるフランジ部とを有し、天面板は、該天面板での周縁部に形成されて外装ケースでの外方側から後面板およびフランジ部それぞれの上端部に当接する立下がり部を有することを特徴とする。
【発明の効果】
【０００８】
本発明の貯湯式給湯機では、天面板の立下がり部が外装ケースでの外方側から取っ手のフランジ部および後面板それぞれの上端部に当接するので、たとえ給湯機本体を屋外に設置する場合でも、取っ手の取付け箇所にパッキンを配置したりシーリング材を塗工したりすることなく当該箇所から外装ケース内への雨水の浸入を防止することができる。したがって、本発明によれば、設置作業を効率よく行うことが容易な貯湯式給湯機が得られる。
【発明を実施するための最良の形態】
【０００９】
以下、本発明の貯湯式給湯機の実施の形態について、図面を参照して詳細に説明する。なお、本発明は以下に説明する実施の形態に限定されるものではない。
【００１０】
図１は、本発明の貯湯式給湯機の一例を概略的に示す斜視図である。同図に示す貯湯式給湯機５０は、ヒートポンプユニット１と給湯機本体４０とを有し、ヒートポンプユニット１で沸き上げた湯を給湯機本体４０中の貯湯タンク１０に一旦貯留して、ここから所定の給湯先に供給する。
【００１１】
上記の貯湯タンク１０は、該貯湯タンク１０を覆う保温材（図示せず）と一緒に外装ケース３０Ａに収容されて、これら保温材および外装ケース３０Ａと共に給湯機本体４０を構成している。貯湯タンク１０の下部には、給水管１１と、沸上げ用循環管路（図示せず）を構成する往き管１３ａと、水抜き用の排水管１５とが接続されている。また、貯湯タンク１０の上部には、沸上げ用循環管路を構成する戻り管１３ｂと、給湯管路（図示せず）とが接続されている。図示の貯湯式給湯機５０では、給湯管路が途中から第１給湯管１７ａと第２給湯管１７ｂとに分岐しており、これら第１給湯管１７ａおよび第２給湯管１７ｂが浴室や台所等、所定の給湯先（図示せず）に接続される。
【００１２】
外装ケース３０Ａは、前面板２１、右側面板２２、左側面板２３、後面板２４、天面板２５、および底面板２６を有している。この外装ケース３０Ａの下部には、後面側が前面側よりも下方に突出してけこみ部２７が形成されており、該けこみ部２７には、上述した給水管１１、往き管１３ａ、戻り管１３ｂ、排水管１５、第１給湯管１７ａ、および第２給湯管１７ｂの各々を給湯機本体４０内に引き込むための、または給湯機本体４０内から引き出すための配管接続部（図示せず）が設けられている。また、後面板２４には１対の取っ手（図示せず）が設けられている。
【００１３】
外装ケース３０Ａの下部には３つの支持脚３５，３５，３５が接続されており、各支持脚３５をコンクリート製の土台Ｂにアンカーボルト（図示せず）で固定することにより、給湯機本体４０が土台Ｂに据え付けられている。なお、上記の配管接続部および該配管接続部に接続された各配管を覆い隠して給湯機本体４０の意匠性を向上させるために、外装ケース３０Ａの下方には配管カバー（図示せず）が設けられる。
【００１４】
上述の構成を有する貯湯式給湯機５０では、給水管１１からの給水により貯湯タンク１０が常時満水状態に保たれると共に、貯湯タンク１０内の湯水に給水管１１から常時送水圧が付与される。貯湯タンク１０内の低温水をヒートポンプユニット１で湯に沸き上げて所定量の湯を貯湯タンク１０に貯留する沸上げ運転時には、貯湯タンク１０内の低温水が往き管１３ａに流入してヒートポンプユニット１内の熱交換器（放熱器）に流入し、該熱交換器で湯に沸き上げられて戻り管１３ｂに流入し、貯湯タンク１０の上部から該貯湯タンク１０に戻される。
【００１５】
また、給湯時には、給水管１１からの送水圧により貯湯タンク１０内の湯が給湯管路に流入し、ユーザがリモートコントローラ（図示せず）等で設定した給湯温度となるように給水管１１からの低温水と混合された後に第１給湯管１７ａまたは第２給湯管１７ｂに流入して、浴室や台所等、所定の給湯先の給湯栓（図示せず）から出湯する。この貯湯式給湯機５０は、外装ケース３０Ａの構造に特徴を有しているので、以下、図２〜図４を参照して当該構造を詳述する。
【００１６】
図２は、図１に示した貯湯式給湯機での外装ケースの要部を概略的に示す背面斜視図であり、図３は、図１に示した貯湯式給湯機での外装ケースの要部を概略的に示す分解斜視図であり、図４は、図１に示した貯湯式給湯機での外装ケースの要部を概略的に示す垂直断面図である。
【００１７】
図２に示すように、外装ケース３０Ａを構成する前面板２１での右縁部には、右側面板２２側に折曲して右側面板２２での前面板側の縁部を覆う係止部２１ａが形成されている。同様に、前面板２１での左縁部には、左側面板２３側に折曲して左側面板２３での前面板側の縁部を覆う係止部（図示せず）が形成されている。また、右側面板２２での後面板側の縁部には、後面板２４側に折曲して後面板２４での右側面板側の縁部を覆う係止部２２ａが形成されており、左側面板２３での後面板側の縁部には、後面板２４側に折曲して後面板２４での左側面板側の縁部を覆う係止部２３ａが形成されている。
【００１８】
そして、天面板２５での周縁部は下方に折曲して、外装ケース３０Ａでの外方側から前面板２１、右側面板２２、左側面板２３、および後面板２４それぞれの上端部、ならびに各取っ手２８Ａの上端部に当接する立下がり部２５ａを形成している。なお、図３に示すように、右側面板２２の上縁部２２ｂは外装ケース３０Ａの内方に張り出しており、後面板２４の上縁部２４ｂも外装ケース３０Ａの内方に張り出している。図３においては図示を省略しているが、前面板２１および左側面板２３それぞれの上縁部も外装ケース３０Ａの内方に張り出している。
【００１９】
図２および図３に示すように、各取っ手２８Ａは後面板２４での上端側の領域に設けられている。個々の取っ手２８Ａは、ヒトが手を掛けるための凹形状の手掛け部２８ａと、該手掛け部２８ａでの開口端の周囲に形成されたフランジ部２８ｂ（図３参照）とを有しており、後面板２４は、取っ手２８Ａを設けるための開口部２４ｃ、具体的には取っ手２８Ａの手掛け部２８ａを外装ケース３０Ａでの内方側に挿入するための開口部２４ｃ（図３参照）を有している。後面板２４に取っ手２８Ａを設ける際には、取っ手２８Ａのフランジ部２８ｂが後面板２４の外表面に係止されて、手掛け部２８ａの挿入深さが規制される。図示の例では、後面板２４での開口部２４ｃの周囲に、フランジ部２８ｂと係合して該フランジ部２８ｂを係止する凹部２４ｄが形成されている。
【００２０】
また、図４に示すように、後面板２４での上記開口部２４ｃの周囲には、外装ケース３０Ａでの内方側に突出するようにして抜止め部２４ｅが形成されており、取っ手２８Ａにおける手掛け部２８ａでの開口端側には、外装ケース３０Ａでの内方側から上記の抜止め部２４ｅに係止される爪部２８ｃが形成されている。なお、図４中の参照符号「２３ｂ」は、左側面板２３の上縁部を示している。
【００２１】
上述した構造の外装ケース３０Ａは、例えば次のようにして組み立てることができる。まず、底面板２６に配管接続部（図示せず）および各支持脚３５（図１参照）を取り付ける一方で、後面板２４に各取っ手２８Ａ（図２〜図４参照）を設ける。後面板２４に取っ手２８Ａを設けるにあたっては、例えば、取っ手２８Ａを前方に傾けながら該取っ手２８Ａの手掛け部２８ａを開口部２４ｃに挿入し、爪部２８ｃでの上側の領域を抜止め部２４ｅでの上側の領域に係止させた後に取っ手２８Ａの下部を開口部２４ｃに更に挿入して、爪部２８ｃでの下側の領域を抜止め部２４ｅ（図３および図４参照）での下側の領域に係止させる。取っ手２８Ａの爪部２８ｃを後面板２４の抜止め部２４ｅに係止させることにより、開口部２４ｃからの取っ手２８Ａの抜けが防止されるので、その後の外装ケース３０Ａの組立て作業が容易になる。
【００２２】
次に、底面板２６上に貯湯タンク１０（図１参照）を配置して上記の配管接続部と貯湯タンク１０とを所定の配管で繋ぎ、貯湯タンク１０の後方に後面板２４を配置して該後面板２４に右側面板２２と左側面板２３とをネジ止めした後、これら右側面板２２および左側面板２３の各々に前面板２１（図１〜図３参照）をネジ止めする。この後、外装ケース３０Ａでの外方側から天面板２５の立下がり部２５ａが前面板２１、右側面板２２、左側面板２３、および後面板２４それぞれの上端部、ならびに各取っ手２８Ａの上端部に当接するようにして天面板２５（図１〜図４参照）を被せて、該天面板２５を前面板２１、右側面板２２、左側面板２３、および後面板２４の各々にネジ止めする。
【００２３】
このようにして外装ケース３０Ａを組み立てることにより、貯湯式給湯機５０の給湯機本体４０（図１参照）が得られる。取っ手２８Ａを後面板２４にネジ止めしなくても、天面板２５の立下がり部２５ａによって取っ手２８Ａを後面板２４に固定することができるので、外装ケース３０Ａを組み立てる際のネジ締め作業が軽減される。また、図５に示すように、取っ手２８Ａでのフランジ部２８ｂの上端部が天面板２５の立下がり部２５ａにより覆われるので、たとえ外装ケース３０Ａに雨水ＲＤが掛かっても、該雨水ＲＤは外装ケース３０Ａに浸入することなく流れ落ちる。取っ手２８Ａの取付け箇所へのパッキンの配置やシーリング材の塗工を省略することができる。したがって、貯湯式給湯機５０では、設置作業を効率よく行うことが容易である。
【００２４】
また、取っ手２８Ａの取付け箇所にパッキンを配置したりシーリング材を塗工したりしなければ、貯湯式給湯機５０を廃棄する際の分解作業が容易になったり、廃棄部材の分別作業が容易になったりするので、廃棄のための回収作業も容易になる。
【００２５】
なお、給湯機本体４０は、後面板２４の上部に１対の取っ手２８Ａ，２８Ａを有し、下部に支持脚３５を有しているので、図６に示すように、横に寝かせて２人のヒトＨ1，Ｈ2により所定の設置場所まで運搬することができる。貯湯式給湯機５０の設置は、例えば、給湯機本体４０、ヒートポンプユニット１（図１参照）、および所定の配管を設置場所まで運搬した後、給湯機本体４０を土台Ｂ（図１参照）に固定し、当該給湯機本体４０にヒートポンプユニットおよび各配管を接続することにより行われる。
【００２６】
実施の形態２．
図７は、本発明の他の貯湯式給湯機での外装ケースの要部を概略的に示す垂直断面図である。同図に示す外装ケース３０Ｂは、実施の形態１で説明した貯湯式給湯機５０での外装ケース３０Ａの取っ手２８Ａ（図２〜図４参照）に代えて取っ手２８Ｂを有しているという点を除き、上記の外装ケース３０Ａと同様の構成を有している。図７に示す構成要素のうちで図４に示した構成要素と共通するものについては、図４で用いた参照符号と同じ参照符号を付してその説明を省略する。
【００２７】
上記の取っ手２８Ｂは、フランジ部２８ｂから間隔をあけて該フランジ部２８ｂの手前側（手掛け部２８ａに手を掛ける際の手前側）に形成された天面板押さえ部２８ｄを有している。この天面板押さえ部２８ｄは、上端側が開放された溝状の間隙Ｇをフランジ部２８ｂとの間に形成するものであり、上記溝状の間隙Ｇに天面板２５の立ち下がり部２５ａが挿入される。天面板押さえ部２８ｄの幅（裏面板２４の幅方向に沿った長さ）は、給湯機本体４０（図６参照）を運搬する際に、立ち下がり部２５ａのエッジやバリ等に触れることなくヒトが手掛け部２８ａに手を入れることができるように、手掛け部２８ａの幅と同等以上とすることが好ましい。
【００２８】
このような取っ手２８Ｂが外装ケース３０Ｂに設けられた貯湯式給湯機は、実施の形態１で説明した貯湯式給湯機５０（図１参照）と同様の技術的効果を奏する。また、取っ手２８Ｂが設けられた箇所では、立下がり部２５ａの下端側が天面板押さえ部２８ｄにより覆われることになるので、上述したように立ち下がり部２５ａのエッジやバリ等に触れることなく給湯機本体を人手により運搬することが可能になる。その結果として、給湯機本体を人手により運搬する際の安全性が向上するという技術的効果も奏する。
【００２９】
以上、本発明の貯湯式給湯機について実施の形態を挙げて説明したが、前述のように、本発明は上述の形態に限定されるものではない。本発明の貯湯式給湯機は、凹形状の手掛け部と、該手掛け部での開口端の周囲に形成されて後面板の外表面に係止されるフランジ部とを有する取っ手が給湯機本体の外装ケースに設けられていると共に、外装ケースを構成する天面板での周縁部に、外装ケースでの外方側から後面板および上記フランジ部それぞれの上端部に当接する立下がり部が形成されているものであれば基本的によく、外装ケース以外の構成は適宜変更可能である。
【００３０】
例えば、貯湯タンク内にヒータを配置し、該ヒータを熱源機として用いて貯湯タンク内の低温水を湯に沸き上げるように貯湯式給湯機を構成することもできる。貯湯タンクに貯留した湯を所定の給湯先に給湯する機能の他に、所望の機能、例えば貯湯タンクに貯留した湯を熱源として用いる熱交換器を備え、該熱交換器により浴槽や温水式床暖房装置で用いられて温度低下した湯を再加熱する機能等を付加することもできる。
【００３１】
また、外装ケースに設ける取っ手の数や配設箇所は、給湯機本体の大きさ等に応じて適宜選定可能である。さらには、取っ手での手掛け部、フランジ部、および天面板押さえ部それぞれの形状についても適宜変更可能である。後面板での開口部の周囲に抜止め部を設けることは必須の事項ではないが、給湯機本体の運搬時に取っ手が脱落してしまうのを防止するという観点からは、後面板に上記の抜け止め部を設けると共に、該抜け止め部に係止される爪部を取っ手に設けることが好ましい。勿論、抜け止め部および爪部それぞれの形状、構造、配置等も適宜変更可能である。本発明の貯湯式給湯機については、上述した以外にも種々の変形、修飾、組合わせ等が可能である。
【産業上の利用可能性】
【００３２】
本発明の貯湯式給湯機は、家庭用または業務用の貯湯式給湯機として用いることができる。
【図面の簡単な説明】
【００３３】
【図１】本発明の貯湯式給湯機の一例を概略的に示す斜視図である。
【図２】図１に示した貯湯式給湯機での外装ケースの要部を概略的に示す背面斜視図である。
【図３】図１に示した貯湯式給湯機での外装ケースの要部を概略的に示す分解斜視図である。
【図４】図１に示した貯湯式給湯機での外装ケースの要部を概略的に示す垂直断面図である。
【図５】図４に示した外装ケースに雨水が掛かったときの状態を概略的に示す垂直断面図である。
【図６】図１に示した貯湯式給湯機での給湯機本体を人手により運搬する際の状態を示す概略図である。
【図７】本発明の他の貯湯式給湯機での外装ケースの要部を概略的に示す垂直断面図である。
【符号の説明】
【００３４】
１０  貯湯タンク
２１  前面板
２２  右側面板
２３  左側面板
２４  後面板
２４ｅ  抜止め部
２５  天面板
２５ａ  立下がり部
２８Ａ，２８Ｂ  取っ手
２８ａ  手掛け部
２８ｂ  フランジ部
２８ｃ  爪部
２８ｄ  天面板押さえ部
３０Ａ，３０Ｂ  外装ケース
４０  給湯機本体
５０  貯湯式給湯機
Ｇ  溝状の間隙
【図１】
2010156509.tif 000003
【図２】
2010156509.tif 000004
【図３】
2010156509.tif 000005
【図４】
2010156509.tif 000006
【図５】
2010156509.tif 000007
【図６】
2010156509.tif 000008
【図７】
2010156509.tif 000009